(57)【要約】【課題】使用者に戸惑いを与える可能性を低減する画像形成装置の提供。【解決手段】画像形成装置は、複数の項目からなる印刷設定に従って画像を形成する。その印刷設定には、プリンタドライバを介して入力可能な印刷設定の項目が複数あり、ドライバ設定データと、直接設定データとが重複した場合、ドライバ設定データが優先される優先項目が存在している。そして、ＰＣから受信した受信データがプリンタドライバ経由で送信された印刷情報である場合（Ｓ１３０：ＹＥＳ）、ドライバ専用領域を表示データの読み出し先とし、表示処理が起動された時に、非優先項目に対応する入力画像のみが表示部に表示されるようにする(Ｓ１４０）。一方、受信データがプリンタ経由以外であれば、初期表示領域を表示データの読み出し先とし、全ての項目に対応する入力画像が表示部に表示されるようにする（Ｓ１５０）。【選択図】図５
2008230147.tif 000002
【特許請求の範囲】
【請求項１】
複数の項目からなる印刷設定を表示する表示手段と、
印刷データを情報端末装置から受信する受信手段と、
前記印刷設定の一部の項目からなり、かつ前記印刷データに付加される項目を含む外部印刷設定と、前記印刷設定のうち前記外部印刷設定以外の項目からなる内部印刷設定とに基づき、前記印刷データに基づく画像を被記録媒体に印刷する印刷手段と
を備え、
前記表示手段は、
前記内部印刷設定と、前記外部印刷設定とを区別して表示することを特徴とする画像形成装置。
【請求項２】
前記表示手段は、
前記内部印刷設定、前記外部印刷設定のいずれか一方を強調して表示することを特徴とする請求項１に記載の画像形成装置。
【請求項３】
外部から取得した取得情報が規定条件に適合するか否かを判定する判定手段を備え、
前記表示手段は、
前記判定手段の判定の結果、前記取得情報が前記規定条件に適合する場合、前記内部印刷設定と、前記外部印刷設定とを区別して表示することを特徴とする請求項１または請求項２に記載の画像形成装置。
【請求項４】
複数の項目からなる印刷設定を表示する表示手段と、
印刷データを情報端末装置から受信する受信手段と、
前記印刷設定の一部の項目からなり、かつ前記印刷データに付加される項目を含む外部印刷設定と、前記印刷設定のうち前記外部印刷設定以外の項目からなる内部印刷設定とに基づき、前記印刷データに基づく画像を被記録媒体に印刷する印刷手段と、
外部から取得した取得情報が規定条件に適合するか否かを判定する判定手段と
を備え、
前記表示手段は、
前記判定手段の判定の結果、前記取得情報が前記規定条件に適合する場合、前記内部印刷設定のみを表示することを特徴とする画像形成装置。
【請求項５】
前記表示手段は、
前記判定手段の判定の結果、前記取得情報が前記規定条件に非適合である場合、前記内部印刷設定と、前記外部印刷設定とを表示することを特徴とする請求項４に記載の画像形成装置。
【請求項６】
前記判定手段の判定の結果、前記取得情報が前記規定条件に適合する場合、前記外部印刷設定を設定するか否かを選択させる選択手段と、
前記選択手段にて前記外部印刷設定を設定することを選択された場合、前記外部印刷設定を設定させる設定手段と、を備えたことを特徴とする請求項４または請求項５に記載の画像形成装置。
【請求項７】
前記受信手段で受信した印刷データを前記取得情報とし、
前記判定手段は、
前記取得情報が前記外部印刷設定に関する情報を含む印刷データである場合、前記規定条件に適合すると判定することを特徴とする請求項３ないし請求項６のいずれかに記載の画像形成装置。
【請求項８】
前記受信手段で受信した印刷データを前記取得情報とし、
前記判定手段は、
前記取得情報が前記情報端末装置に組み込まれたプリンタドライバを介して前記情報端末装置から送信された印刷データである場合、前記規定条件に適合すると判定することを特徴とする請求項３ないし請求項７のいずれかに記載の画像形成装置。
【請求項９】
印刷ジョブに関する設定情報が付加されており、かつ前記外部印刷設定に関する情報が前記設定情報に含まれている印刷データを、前記プリンタドライバを介して取得された印刷データとすることを特徴とする請求項８に記載の画像形成装置。
【請求項１０】
外部からの入力を受け付ける操作手段を備え、
前記操作手段を介して入力された情報を前記取得情報とし、
前記判定手段は、
前記取得情報が取得された場合、前記規定条件に適合すると判定することを特徴とする請求項３ないし請求項９のいずれかに記載の画像形成装置。
【請求項１１】
前記外部印刷設定は、前記印刷データに付加される項目のみからなる印刷設定である
ことを特徴とする請求項１ないし請求項１０のいずれかに記載の画像形成装置。
【請求項１２】
前記外部印刷設定は、前記情報端末装置に組み込まれたプリンタドライバを介して設定された印刷設定であることを特徴とする請求項１ないし請求項１１のいずれかに記載の画像形成装置。
【発明の詳細な説明】
【技術分野】
【０００１】
本発明は、被記録媒体に画像を印刷する画像形成装置に関する。
【背景技術】
【０００２】
従来より、パーソナルコンピュータ（以下、ＰＣとする）等の情報端末装置にネットワークを介して接続され、使用者によって入力された複数の項目からなる印刷設定に従って、シート状の被記録媒体に画像を印刷する画像形成装置が知られている。
【０００３】
そして、この種の画像形成装置の中には、情報の入力を受け付ける操作部と、印刷設定の各項目を使用者に入力させるために、それらの項目毎に予め用意された表示情報を表示する表示部と、操作部で受け付けた情報に従って、表示部に表示される表示情報を切り替える制御部とを備えたものが提案されている（例えば、特許文献１参照）。
【特許文献１】特開２００１−１８００８９号公報
【発明の開示】
【発明が解決しようとする課題】
【０００４】
ところで、ＰＣからプリンタドライバを介して取得した画像データを画像形成装置で印刷（以下、「ＰＣプリント」とする）する場合、その印刷に用いられる印刷設定の中には、画像形成装置の操作部を介して使用者が入力した内容よりも、ＰＣにてプリンタドライバを介して使用者が入力した内容が優先される項目（以下、優先項目とする）が存在することが一般的である。
【０００５】
しかしながら、特許文献１に記載の画像形成装置では、表示部に表示される表示情報は、優先項目、優先項目以外の項目に関わらず、一律に表示されるため、どの項目が優先項目であるのかを、使用者に認識させることができなかった。そのため、優先項目であっても使用者が認識できず、画像形成装置の操作部を介して入力された内容が反映されて印刷されるものと使用者に誤認される可能性があった。
【０００６】
つまり、従来の画像形成装置では、使用者に適切な印刷設定を行わせるように、表示情報の表示がなされていないという問題があった。この結果、ＰＣプリントが行われる場合、操作部を介して入力された内容で被記録媒体に印刷がされず、使用者に戸惑いを与える可能性があった。
【０００７】
そこで、本発明は、使用者に戸惑いを与える可能性を低減する画像形成装置を提供することを目的とする。
【課題を解決するための手段】
【０００８】
上記目的を達成するためになされた本発明の画像形成装置は、表示手段が複数の項目からなる印刷設定を表示し、受信手段が印刷データを情報端末装置から受信し、印刷手段が、印刷設定の一部の項目からなり、かつ印刷データに付加される項目を含む外部印刷設定と、印刷設定のうち外部印刷設定以外の項目からなる内部印刷設定とに基づき、印刷データに基づく画像を被記録媒体に印刷する。そして、表示手段は、内部印刷設定と、外部印刷設定とを区別して表示する。
【０００９】
本発明の画像形成装置によれば、内部印刷設定と、外部印刷設定とを区別して表示するため、印刷設定の項目のうち、どの項目が外部印刷設定であるのかをユーザ（画像形成装置、及び情報端末装置のユーザ）に認識させることができる。
【００１０】
この結果、本発明の画像形成装置によれば、情報端末装置にて生成された印刷情報中の画像データに基づく画像を印刷手段にて印刷する際、表示手段に内部印刷設定と外部印刷設定とを区別して表示することができる。したがって、ユーザに戸惑いを与える可能性を低減できる。
【００１１】
なお、ここで言う区別とは、内部印刷設定と、外部印刷設定とを識別可能な態様にて表示することであり、印刷設定とは、その項目のデータ（即ち、設定内容）を入力するための画像も含むものである。
【００１２】
そして、本発明の画像形成装置における表示手段は、請求項２に記載のように、内部印刷設定、外部印刷設定のいずれか一方を強調して表示しても良い。
このような本発明の画像形成装置によれば、内部印刷設定と、外部印刷設定とを容易に識別することができる。この結果、情報端末装置にて生成された印刷情報中の画像データに基づく画像を印刷手段にて印刷する際、ユーザに戸惑いを与えることを低減することができる。
【００１３】
なお、ここで言う強調とは、色を反転させたり、記号を付けたり、さらには、変色させたり、網掛けを施したりすること等である。
さらに、請求項３に記載のように、外部から取得した取得情報が規定条件に適合するか否かを判定する判定手段が備えられている場合、本発明の画像形成装置における表示手段は、判定手段の判定の結果、取得情報が規定条件に適合する場合、内部印刷設定と、外部印刷設定とを区別して表示するように構成されていることが望ましい。
【００１４】
ところで、本発明の画像形成装置は、請求項４に記載のように、表示手段が複数の項目からなる印刷設定を表示し、受信手段が印刷データを情報端末装置から受信し、印刷手段が、印刷設定の一部の項目からなり、かつ印刷データに付加される項目を含む外部印刷設定と、印刷設定のうち外部印刷設定以外の項目からなる内部印刷設定とに基づき、印刷データに基づく画像を被記録媒体に印刷する。そして、本発明の画像形成装置は、判定手段が外部から取得した取得情報が規定条件に適合するか否かを判定し、その判定手段の判定の結果、取得情報が規定条件に適合する場合、表示手段が内部印刷設定のみを表示するように構成されていても良い。
【００１５】
このように構成された画像形成装置によれば、取得情報が規定条件を満たす場合には、内部印刷設定のみを表示するため、画像形成装置にて外部印刷設定が入力されることを防止できる。この結果、ユーザが戸惑いを感じる可能性を低減することができる。
【００１６】
そして、本発明の画像形成装置における表示手段は、請求項５に記載のように、判定手段の判定の結果、取得情報が規定条件に非適合である場合、内部印刷設定と、外部印刷設定とを表示するように構成されていても良い。
【００１７】
本発明の画像形成装置では、請求項６に記載のように、判定手段の判定の結果、取得情報が規定条件に適合する場合、選択手段が外部印刷設定を設定するか否かを選択させ、選択手段にて外部印刷設定を設定することを選択された場合、設定手段が外部印刷設定を設定させるように構成されていても良い。
【００１８】
このように構成された画像形成装置によれば、表示手段が内部印刷設定のみを表示するようにされた場合であっても、選択手段と設定手段により外部印刷設定を変更する機会を設けることができるので、画像形成装置の利便性を向上させることができる。
【００１９】
本発明の画像形成装置では、請求項７に記載のように、受信手段で受信した印刷データを取得情報とし、取得情報が外部印刷設定に関する情報を含む印刷データである場合、規定条件に適合すると判定するように判定手段が構成されていることが望ましい。
【００２０】
また、本発明の画像形成装置では、請求項８に記載のように、受信手段で受信した印刷データを取得情報とし、取得情報が情報端末装置に組み込まれたプリンタドライバを介して情報端末装置から送信された印刷データである場合、規定条件に適合すると判定するように判定手段が構成されていることが望ましい。
【００２１】
さらに、請求項９に記載のように、印刷ジョブに関する設定情報が付加されており、かつ外部印刷設定に関する情報が設定情報に含まれている印刷データを、プリンタドライバを介して取得された印刷データとしても良い。
【００２２】
なお、本発明の画像形成装置は、請求項１０に記載のように、外部からの入力を受け付ける操作手段が備えられ、操作手段を介して入力された情報を取得情報とし、その取得情報が取得された場合に、規定条件に適合するものと判定するように判定手段が構成されていても良い。
【００２３】
このように構成された画像形成装置によれば、ユーザが必要に応じて内部印刷設定のみを表示手段に表示（もしくは、内部印刷設定と外部印刷設定とを区別して表示）させることができ、画像形成装置の利便性を向上させることができる。
【００２４】
なお、本発明の画像形成装置における外部印刷設定は、請求項１１に記載のように、印刷データに付加される項目のみからなる印刷設定としても良い。
このように構成された画像形成装置では、実際に印刷データに付加される印刷設定の項目を外部印刷設定とすることができる。
【００２５】
また、本発明の画像形成装置における外部印刷設定は、請求項１２に記載のように、情報端末装置に組み込まれたプリンタドライバを介して設定された印刷設定であることが望ましい。
【発明を実施するための最良の形態】
【００２６】
以下に本発明の実施形態を図面と共に説明する。
［第一実施形態］
〈画像形成システムの構成〉
図１は、本発明が適用された画像形成システム１の概略構成を示すブロック図である。
【００２７】
画像形成システム１は、用紙への印刷に必要な印刷情報を生成するパーソナルコンピュータ（以下、ＰＣとする）１０と、複数の項目からなる印刷設定に従って、印刷情報に基づく画像を印刷する画像形成装置２０とを備える。画像形成システム１は、ＰＣ１０にて生成された印刷情報を画像形成装置２０へ送信することにより、画像形成装置２０にて画像を印刷する。
〈ＰＣの構成〉
ＰＣ１０は、操作受付部１２、格納部１３、通信部１４、表示駆動部１５、制御部１１を備え、これら各部はバスを介して相互に接続されている。
【００２８】
操作受付部１２は、ＰＣ１０に接続されたマウスや、キーボード等の周知の入力機器を介して入力された情報を受け付け、制御部１１に送信するように構成されている。
表示駆動部１５は、ＰＣ１０に接続された液晶ディスプレイや、ＣＲＴ等の表示機器に対して、制御部１１からの信号を送信し、その表示機器に画像を表示するように構成されている。
【００２９】
通信部１４は、当該ＰＣ１０に接続ケーブルやネットワークを介して画像形成装置２０を接続するプリンタポートＩ／Ｆ（Ｉｎｔｅｒｆａｃｅ）である。
制御部１１は、ＲＯＭ、ＲＡＭ、ＣＰＵを備え、ＲＯＭ、ＲＡＭ、格納部１３に格納された処理プログラムやデータに基づき、ＣＰＵにて各種処理を実行する。
【００３０】
格納部１３は、いわゆるハードディスクドライブであり、その格納領域には、文書や図形等の画像データを作成するアプリケーションプログラムや、印刷情報を生成するためのプログラム（いわゆる、プリンタドライバ）等が記憶されている。
【００３１】
そのプリンタドライバは、アプリケーションプログラムにより作成された画像データを、画像形成装置２０にて印刷可能な印刷データに変換するデータ変換処理をＣＰＵに実行させるための処理プログラムと、その印刷データを画像形成装置２０にて印刷するための印刷設定の入力（以下、入力された印刷設定内容のデータを設定データとする）を受け付ける印刷設定入力処理をＣＰＵに実行させるための処理プログラムとを少なくとも備えている。
【００３２】
つまり、ＰＣ１０では、ＣＰＵが、アプリケーションプログラムに基づく処理を実行することで画像データを生成し、その生成された画像データを、データ変換処理を実行することでページ記述言語で表された印刷データに変換し、印刷設定入力処理を実行することで、印刷設定の入力を受け付ける（即ち、設定データを生成する）。これにより、ＰＣ１０は、図６に示すような、印刷ジョブに関する設定データβと、印刷データαとから構成された印刷情報を生成し、その後、その生成した印刷情報を通信部１４を介して画像形成装置２０へと送信する。
〈画像形成装置の構成〉
次に、画像形成装置の構成について説明する。
【００３３】
画像形成装置２０は、いわゆる複合機であり、スキャナ機能、プリンタ機能、コピー機能、およびファクシミリ機能を備えている。スキャナ機能は、原稿の画像を印刷データとして取得する機能である。プリンタ機能は、印刷データに基づく画像を用紙に印刷する機能である。コピー機能は、スキャナ機能とプリンタ機能とを組合わせた機能である。そして、ファクシミリ機能は、公衆電話網を介して印刷データの送受信を行うと共に、受信した印刷データをメモリ（例えば、ＲＡＭ）に格納した後、用紙に印刷する機能である。これらの機能を実行するため、画像形成装置２０は、図１に示すように、画像印刷部２１(印刷手段の一例）、画像読取部２２、情報入出力部２３、通信部２４(受信手段の一例）、制御部２５を備えている。
【００３４】
通信部２４は、当該画像形成装置２０に接続ケーブルやネットワークを介してＰＣ１０を接続するプリンタポートＩ／Ｆ（Ｉｎｔｅｒｆａｃｅ）である。
画像読取部２２は、ＣＣＤ（Ｃｈａｒｇｅ  Ｃｏｕｐｌｅｄ  Ｄｅｖｉｃｅ）やＣＩＳ（Ｃｏｎｔａｃｔ  Ｉｍａｇｅ  Ｓｅｎｓｏｒ）等の周知のイメージセンサを備え、制御部２５からの指令に基づき、所定の原稿読取位置にセットされた原稿の画像を読み取り、この原稿の印刷データを生成する。
【００３５】
画像印刷部２１は、制御部２５からの指令を受けて、用紙（被記録媒体の一例）を積載する給紙トレイまたは手差しトレイ（図示せず）から１枚ずつ用紙を給紙し、レーザ転写方式、インクジェット方式等の周知の画像記録方式によって、画像読取部２２にて生成された印刷データに基づく画像や、通信部２４を介してＰＣ１０から受信した印刷データに基づく画像を、印刷設定（より正確には、設定データ）に従って用紙に形成する。
【００３６】
情報入出力部２３は、画像形成装置２０の筐体に形成された操作パネル２６を介して、画像形成装置２０の使用者との間で情報の授受を行う。
その操作パネル２６は、図２に示すように、画像形成装置２０の動作状態等を表示するためのＬＣＤパネルからなる表示部２８（表示手段の一例）と、各種指令を入力するための複数の操作ボタン２７（操作手段の一例）とを備えている。そして、操作ボタン２７は、表示部２８に表示されるカーソルを移動させるための十字キー２７ａと、数値を入力するためのテンキー２７ｂと、入力された情報を確定するため確定キー２７ｃとを備えている。
【００３７】
つまり、情報入出力部２３は、表示部２８を駆動するための表示駆動部と、操作ボタン２７を介して入力された情報を受付け、制御部２５に送信する情報受付部とから構成されている。
【００３８】
制御部２５は、データを一時的に格納するＲＡＭ２５ａ、処理プログラムを格納したＲＯＭ２５ｂ、電源がオフとなっても格納されているデータを保持するＥＥＰＲＯＭ２５ｃ、および処理プログラムに従って処理を実行するＣＰＵ２５ｄとを備えている。そして、ＲＡＭ２５ａには、ＰＣ１０等から通信部２４を介して受信したデータを格納するための受信データ格納領域が確保されている。
〈印刷設定〉
ＥＥＰＲＯＭ２５ｃには、図１０に示すように、印刷設定の各項目における設定データを格納する設定格納領域３１と、それらの設定データを入力させるために表示部２８に文字等の画像を表示するための表示データを格納する表示画像格納領域３２とが確保されている。
【００３９】
具体的に、図３に示すように、ＥＥＰＲＯＭ２５ｃの設定格納領域３１に格納される設定データ、即ち、印刷設定の各項目は、画像を印刷する時の基本情報に関して設定する基本情報設定１００と、画像印刷部２１の制御情報に関して設定する画像形成設定１１０と、画像を印刷する際に用いる用紙について設定するトレイ設定１２０とに分類されている（以下、基本情報設定１００、画像形成設定１１０、トレイ設定１２０を合わせて第一階層と称す）。
【００４０】
基本情報設定１００は、プリンタ言語項目１０１、印刷色項目１０２、用紙種類項目１０３、サイズ項目１０４、印刷部数項目１０５、印刷位置項目１０６、および自動開始項目１０７を備えている。プリンタ言語項目１０１は、画像形成装置２０にて用いるＰＣＬや、ポストスクリプト等のプリンタ言語を設定するための項目である。印刷色項目１０２は、印刷を実行する際の印刷色を設定するための項目である。用紙種類項目１０３は、普通紙や、光沢紙等の用紙の種類を選択するための項目である。サイズ項目１０４は、印刷される用紙のサイズを設定するための項目である。印刷部数項目１０５は、印刷される部数（即ち、印刷部数）を設定するための項目である。印刷位置項目１０６は、とじしろ等の印刷位置を設定するための項目である。そして、自動開始項目１０７は、プリンタ言語に印刷開始コマンドが組み込まれていない場合に、自動で印刷を開始するタイミングを設定するための項目である。
【００４１】
画像形成設定１１０は、再印刷項目１１１、印字濃度項目１１２、言語設定項目１１３、および解像度項目１１４を備えている。再印刷項目１１１は、同一の印刷情報を再印刷するか否かを設定するための項目である。印字濃度項目１１２は、印字の濃度を設定するための項目である。言語設定項目１１３は、表示部２８に表示する言語を設定するための項目である。解像度項目１１４は、用紙に印刷する際の解像度（即ち、印字の密度）を設定するための項目である。
【００４２】
トレイ設定１２０は、手差項目１２１、給紙トレイ項目１２２、ＭＰサイズ項目１２３、および給紙サイズ項目１２４を備えている。手差項目１２１は、手差しトレイに積載された用紙に対して印刷を実行するのか否かを設定するための項目である。給紙トレイ項目１２２は、複数の給紙トレイの中から、自動給紙するトレイの優先順位を設定するための項目である。ＭＰサイズ項目１２３は、手差しトレイに積載された用紙のサイズを設定するための項目である。給紙サイズ項目１２４は、初期設定の段階で自動給紙の優先順位が最も高い給紙トレイに収納される用紙のサイズを設定するための項目である。
【００４３】
つまり、ＥＥＰＲＯＭ２５ｃの設定格納領域３１に格納される設定データは、図３に示すように、基本情報設定１００、画像形成設定１１０、トレイ設定１２０などの第一階層の下位に位置する第二階層として、プリンタ言語項目１０１、サイズ項目１０４、言語設定項目１１３、給紙サイズ項目１２４等の各項目を備えた、いわゆるツリー構造からなっている。
【００４４】
そして、使用者が操作ボタン２７を操作することにより任意に入力された設定データ（以下、直接設定データとする）は、情報入出力部２３を介して、ＥＥＰＲＯＭ２５ｃの設定格納領域３１に格納される。
【００４５】
また、操作パネル２６を介して設定されるこれらの印刷設定の項目の中には、ＰＣ１０に組み込まれたプリンタドライバを介して（即ち、上述の印刷設定入力処理を実行することで）、ＰＣ１０側でも入力可能な項目が複数ある。そして、それらのプリンタドライバを介してＰＣ１０側でも入力可能な項目において、プリンタドライバを介してＰＣ１０側で入力された設定データ（以下、ドライバ設定データとする）と直接設定データとが重複した場合、ドライバ設定データが優先される。以下、プリンタドライバを介してＰＣ１０側でも入力可能な項目を優先項目とする。
【００４６】
本実施形態では、具体的に、プリンタ言語項目１０１、印刷色項目１０２、用紙種類項目１０３、サイズ項目１０４、印刷部数項目１０５、再印刷項目１１１、解像度項目１１４、手差項目１２１が優先項目とされている。
【００４７】
つまり、画像形成装置２０が起動されると、ＥＥＰＲＯＭ２５ｃに格納された設定データは、印刷設定の初期設定が格納されるＲＡＭ２５ａの初期設定領域と、印刷時に使用される印刷設定が格納されるＲＡＭ２５ａの使用設定領域とに転送される。そして、ＰＣ１０にてプリンタドライバを介して優先項目に対する入力がなされた場合、ＲＡＭ２５ａの使用設定領域に格納されている設定データのうち、優先項目に対応する設定データは、ドライバ設定データへと更新される。このため、優先項目については、ドライバ設定データに従って、用紙への印刷がなされることになる。
〈表示画面〉
次に、ＥＥＰＲＯＭ２５ｃの表示画像格納領域３２に格納され、表示部２８に文字等の画像を表示するための表示データについて説明する。
【００４８】
この表示データは、印刷設定の各項目毎に設けられたものであり、その項目に対する設定データの入力を受付ける画像を表示部２８に表示する（以下、入力を受付ける画像を入力画像とする）ように構成されたものである。言い換えれば、ＥＥＰＲＯＭ２５ｃの表示画像格納領域３２に格納された表示データは、設定格納領域３１に格納される設定データと同様、第一階層を選択するための入力画像を表示部２８に表示するための表示データの下位に、第二階層（例えば、プリンタ言語項目１０１、給紙サイズ項目１２４等）の各項目に対して、直接設定データを入力するための入力画像を表示部２８に表示するための表示データが構成された、いわゆるツリー構造である。
【００４９】
そして、ＥＥＰＲＯＭ２５ｃの表示画像格納領域３２には、第二階層の全ての項目の読出設定を許可設定とした表示データを格納する初期表示領域３３と、非優先項目の読出設定のみを許可設定（優先項目の読出設定を禁止設定）とした表示データを格納するドライバ専用領域３４とが予め確保されている。
【００５０】
つまり、本実施形態の画像形成装置では、ＣＰＵ２５ｄは、表示処理を実行することにより、ＥＥＰＲＯＭ２５ｃの表示画像格納領域３２に格納され、読出設定が許可設定である表示データを読み出し、その読み出された表示データに対応する入力画像を表示部２８に表示する。以下では、表示部２８に表示された入力画像を表示画面と称す。
【００５１】
そして、第一階層の項目が表示された表示画面で使用者が操作ボタン２７を介して入力を行うことにより、第一階層のうち一つが選択されると、第二階層の各項目を選択するための表示画面へと切り替わる（例えば、基本情報設定１００が選択されれば、プリンタ言語項目１０１や、印刷色項目１０２等を入力するための表示画面となる）。そして、その切り替わった表示画面で使用者が操作ボタン２７を介して入力を行う（例えば、十字キー２７ａが操作される）ことにより、一つの項目が選択されると、その項目に対して直接設定データを入力するための表示画面へと切り替わる（例えば、印刷色項目１０２が選択されれば、印刷色項目を入力するための表示画面となる）。
〈表示画面決定処理〉
次に、画像形成装置２０のＣＰＵ２５ｄが実行し、表示部２８に表示される表示画面を決定する表示画面決定処理について説明する。
【００５２】
ここで、図５は、表示画面決定処理の処理手順を示したフローチャートである。
この表示画面決定処理が起動されると、まず、Ｓ１１０にて、ＰＣ１０からデータを取得したか否かを判定する。そして、判定の結果、ＰＣ１０からデータを取得したものと判断された場合、Ｓ１２０へと進む（以下、ＰＣ１０から取得したデータを受信データとする）。
【００５３】
そのＳ１２０では、受信データの解析を実行し、Ｓ１３０へと進む。
続く、Ｓ１３０では、Ｓ１２０における受信データの解析の結果、受信データがプリンタドライバ経由でＰＣ１０から送信されたものであるか否かを判定する（判定手段の一例）。
【００５４】
具体的に、本実施形態では、ＲＡＭ２５ｂの受信データ格納領域に格納された受信データが図６に示すような印刷情報であれば、Ｓ１２０における受信データの解析により、受信データがＰＣ１０に組み込まれたプリンタドライバ経由でＰＣ１０から送信されたデータであると判断する。なお、本実施形態では、受信データ中に、ドライバ設定データが含まれていれば、印刷情報であるものと判断する。具体的には、ドライバ設定データは、受信した印刷情報のうち、印刷ジョブに関する設定データβに含まれる「＠ＰＪＬ  ＳＥＴ  ＲＥＰＲＩＮＴ＝ＪＯＢ」「＠ＰＪＬ  ＥＣＯＮＯＭＯＤＥ＝ＯＦＦ」「＠ＰＪＬ  ＳＥＴ  ＭＥＤＩＡＴＹＰＥ＝ＲＥＧＵＬＡＲ」「＠ＰＪＬ  ＳＥＴ  ＲＥＳＯＬＵＴＩＯＮ＝３００」である。
【００５５】
そして、Ｓ１３０における判定の結果、受信データがプリンタドライバ経由でＰＣ１０から送信されたものである場合、Ｓ１４０へと進む。
そのＳ１４０では、表示処理を実行した場合、表示部２８に表示される表示画面がドライバ専用画面となるように、ＥＥＰＲＯＭ２５ｃのドライバ専用領域３４を表示データの読み出し先に設定し、Ｓ１６０へと進む。つまり、ドライバ専用画面では、図４に示すように、第二階層にて、非優先項目に対応する表示画面のみが表示される。
【００５６】
一方、Ｓ１３０における判定の結果、受信データがプリンタドライバ経由でＰＣ１０から送信されたもの以外である場合、Ｓ１５０へと進む。なお、プリンタドライバ経由でＰＣ１０から送信されたもの以外である受信データとは、ドライバ設定データが含まれておらず、画像形成装置２０に所望の印刷を行わせるためにシステム管理者等によって直接画像形成装置２０を制御するためのコマンドが作成されてＰＣ１０から送信されたデータである。このような受信データは、ＰＤＬデータやエミュレーションデータ等、印刷データαのみから構成されていたり、印刷データα、もしくは印刷ジョブに関する設定データβに含まれる印刷開始のコマンドや、画像形成装置２０にて使用するページ記述言語に関する情報で構成されていたりする。
【００５７】
そのＳ１５０では、表示処理を実行した場合、表示部２８に表示される表示画面が初期表示画面となるように、ＥＥＰＲＯＭ２５ｃの初期表示領域３３を表示データの読み出し先に設定し、Ｓ１６０へと進む。つまり、初期表示画面では、図３に示すように、第二階層にて、全ての項目に対応する表示画面が表示される。
【００５８】
言い換えれば、Ｓ１４０、及びＳ１５０では、操作ボタン２７が操作され、表示処理が起動された場合に、それぞれの表示画面が表示されるように、表示データの読み出し先を切り替える。
【００５９】
なお、受信データがプリンタドライバ経由でＰＣ１０から送信されたものである場合、ドライバ専用領域３４を表示データの読み出し先に設定する理由は、使用者がプリンタドライバ経由でＰＣ１０から画像形成装置２０へデータを送信する方法で画像形成装置２０を使用した場合、今後もこの方法で画像形成装置２０が使用される可能性が高いからである。したがって、今後この方法で画像形成装置２０が使用される場合、ドライバ専用領域３４を表示データの読み出し先に設定しておけば、ドライバ設定データが優先される優先項目に直接設定データを入力させないようにすることができるので、使用者に戸惑いを与えるのを低減できる。また、受信データがプリンタドライバ経由でＰＣ１０から送信されたもの以外である場合、初期表示領域３３を表示データの読み出し先に設定する理由は、使用者がプリンタドライバを経由させずにＰＣ１０から画像形成装置２０へデータを送信する方法で画像形成装置２０を使用した場合、今後もこの方法で画像形成装置２０が使用される可能性が高いからである。したがって、今後この方法で画像形成装置２０が使用される場合、初期表示領域３３を表示データの読み出し先に設定しておけば、操作パネル２６を介して全ての項目に直接設定データを入力することができるので、使い勝手が向上する。
【００６０】
Ｓ１６０では、受信データ（ただし、印刷データが含まれる場合のみ）に基づく画像を、ＲＡＭ２５ｂの使用設定領域に格納された設定データに従って、用紙に印刷する印刷処理を実行する。
【００６１】
そして、その後、本処理を終了する。なお、Ｓ１１０にて、ＰＣ１０からデータが取得されていないものと判断された場合にも、本処理を終了する。
つまり、本実施形態の表示画面決定処理では、プリンタドライバ経由でＰＣ１０から印刷情報が送信された場合（いわゆるＰＣプリントの実行時）には、ドライバ専用画面が表示部２８に表示され、プリンタドライバを経由せずＰＣ１０からデータが送信された場合には、初期表示画面が表示部２８に表示される。
［第一実施形態の効果］
以上説明したように、本実施形態の画像形成システムによれば、プリンタドライバ経由でＰＣ１０から送信された印刷情報が取得された場合には、ドライバ専用領域３４を表示データの読み出し先とするため、表示部２８に表示される画面がドライバ専用画面となり、操作ボタン２７を介して優先項目に直接設定データが入力されることを防止できる。
【００６２】
この結果、画像形成システム１によれば、操作ボタン２７を介して直接設定データを入力したにも関わらず、直接設定データを入力した項目が優先項目であったためにドライバ設定データに従って用紙への印刷がなされるのを防止でき、ユーザが戸惑いを感じる可能性を低減できる。
【００６３】
また、画像形成システム１によれば、受信データがプリンタドライバ経由でＰＣ１０から送信された印刷情報以外である場合には、初期表示領域３３を表示データの読み出し先とするため、表示部２８に表示する画面が初期表示画面となり、全ての項目に対して、操作ボタン２７を介して設定データを入力することができ、使い勝手が向上する。
［第二実施形態］
次に、本発明の第二実施形態について説明する。
【００６４】
上記第一実施形態に示した画像形成システムと第二実施形態の画像形成システムとでは、画像形成装置にて実行される表示画面決定処理が異なるのみである。このため、第一実施形態に示す画像形成システム（より正確には、画像形成装置）と同様の構成については、同一の符号を付して説明を省略し、第一実施形態とは異なる表示画面決定処理を中心に説明する。
〈表示画面決定処理〉
ここで、図７は、本実施形態における表示画面決定処理の処理手順を示したフローチャートである。
【００６５】
この表示画面決定処理が起動されると、まず、Ｓ２１０では、操作パネル２６を介して使用者により表示部２８に表示される表示画面を選択するための選択要求が入力されたか否かを判定し、選択要求が入力されたものと判断された場合、Ｓ２２０へと進む。
【００６６】
具体的に、本実施形態では、操作ボタン２７が押下された場合には、選択要求が入力されたものと判断する。なお、画像形成装置２０が起動された段階では、表示データの読み出し先は、ＥＥＰＲＯＭ２５ｃの初期表示領域３３であり、表示部２８に表示された表示画面は、初期表示画面である。
【００６７】
そして、Ｓ２２０では、図８に示すように、表示部２８に表示される表示画面を初期表示画面にするかドライバ専用画面にするのか、使用者に選択させるための選択画像（画面）を表示部２８に表示させる。つまり、表示データの読み出し先を初期表示領域３３とするかドライバ専用領域３４とするかを、操作ボタン２７を介して使用者に入力させる。
【００６８】
続く、Ｓ２３０では、操作ボタン２７を介して入力された情報が、初期表示画面、ドライバ専用画面のいずれを表示部２８に表示させることを表しているかを判定する。そして、判定の結果、初期表示画面が選択されたことを表しているものと判断された場合には、Ｓ３００へと進み、表示データの読み出し先を初期表示領域３３とし、即ち、現在の初期表示画面を維持して、本処理を終了する。
【００６９】
一方、Ｓ２３０での判定の結果、ドライバ専用画面が選択されたことを表しているものと判断された場合には、Ｓ２５０へと進む。
そのＳ２５０では、表示データの読み出し先をドライバ専用領域３４へと切り替える。したがって、表示部２８に表示される表示画面は、第二階層にて非優先項目に対応する入力画面のみが表示されるドライバ専用画面となる（図４参照）。
【００７０】
続く、Ｓ２６０では、図９に示すように、ＥＥＰＲＯＭ２５ｃの設定格納領域３１に格納されている優先項目に対応する印刷設定を変更するか否かを受け付けるための変更受付画像（画面）（選択手段の一例）を表示部２８に表示させる。つまり、設定格納領域３１に格納されている優先項目に対応する印刷設定を現在の設定から変更することを望むのか否かを、操作ボタン２７を介して使用者に入力させる。ここで、表示部２８に表示される表示画面がドライバ専用画面に設定される場合、図４に示すように、非優先項目に対応する入力画面のみが表示されるので、変更受付画像を表示させなければ、優先項目に対応する印刷設定を変更する機会が無くなってしまう。優先項目に対応する印刷設定を変更する機会が無くなれば、万一プリンタドライバを経由しないデータがＰＣ１０から送信されてきた場合のために、優先項目に対応する印刷設定を変更しておくことができなくなる。そのため、この問題に対処するために、変更受付画像を表示させるのである。
【００７１】
そして、Ｓ２７０では、Ｓ２６０にて操作ボタン２７を介して入力された情報が、優先項目に対応する印刷設定を現在の設定から変更する、もしくは変更しないのいずれを表しているのかを判定し、判定の結果、入力された情報が優先項目に対応する印刷設定を変更しないことを表している、つまり図９にて「ＮＯ」が選択されたものと判断された場合、本処理を終了する。
【００７２】
一方、Ｓ２７０での判定の結果、操作ボタン２７を介して入力された情報が優先項目に対応する印刷設定を変更することを表している、つまり図９にて「ＹＥＳ」が選択されたものと判断された場合、Ｓ２８０へと進む。
【００７３】
そのＳ２８０では、全ての優先項目を表示部２８に表示させ、それら優先項目に対応する印刷設定に対する設定データの入力を受け付ける(設定手段の一例）。
そして、Ｓ２９０では、全ての優先項目に対する印刷設定を、Ｓ２８０で受け付けた内容として、設定格納領域３１に格納する。つまり、設定格納領域３１に格納された優先項目の印刷設定を更新する。そして、その後、本処理を終了する。
【００７４】
なお、Ｓ２１０にて、表示画面選択要求が入力されていない場合にも、本処理を終了する。
つまり、本実施形態の表示画面決定処理では、使用者が、操作ボタン２７を介してドライバ専用画面が表示部２８に表示されるように要求を入力した場合には、ドライバ専用画面が表示部２８に表示され、要求が入力されていない場合には、初期表示画面が表示部２８に表示される。
【００７５】
また、本実施形態の表示画面決定処理では、操作ボタン２７を介して情報を入力することにより、設定格納領域３１に格納された優先項目の印刷設定を更新可能にされている。即ち、表示部２８に表示される表示画面が非優先項目のみを表示するドライバ専用画面となる前に、優先項目の印刷設定を使用者が決定することができる。
［第二実施形態の効果］
以上説明したように、本実施形態の画像形成装置によれば、選択要求に応じて表示データの読み出し先を変更するため、表示部２８に表示される画面を初期表示画面とするかドライバ専用画面とするかを、ユーザが必要に応じて決定することができる。この結果、本実施形態の画像形成装置によれば、利便性を向上させることができる。
【００７６】
また、本実施形態の画像形成装置によれば、操作ボタン２７を介して情報を入力することにより、設定格納領域３１に格納された優先項目の印刷設定を更新することができる。したがって、画像形成装置の利便性を向上させることができる。
［その他の実施形態］
以上、本発明の実施形態について説明したが、本発明は上記実施形態に限定されるものではなく、本発明の要旨を逸脱しない範囲において様々な態様にて実施することが可能である。
【００７７】
例えば、上記実施形態では、ドライバ専用画面として、第二階層にて、非優先項目に対応する入力画像のみを表示部２６に表示したが、表示部２８に表示されたドライバ専用画面は、これに限るものではなく、図１１に示すように、「Ｅｍｕｌａｔｉｏｎ（Ｄｒｖ）」のように各優先項目名に「（Ｄｒｖ）」と表示させ、優先項目に対する入力画像と、非優先項目に対する入力画像とを識別可能な態様にて表示しても良い。
【００７８】
識別可能な態様とは、優先項目または非優先項目のみ、色を反転させたり、記号を付けたり、さらには、変色させたり、網掛けを施したりすること等である。つまり、使用者が、優先項目に対する入力画像と、非優先項目に対する入力画像とのいずれであるのかを区別可能であればどのように表示しても良い。
【００７９】
上記実施形態の表示画面決定処理では、Ｓ１３０における判定の結果、優先項目に対応するドライバ設定データが受信データに含まれていた場合、全ての優先項目に対する入力画像の表示が禁止された表示画面がドライバ専用画面となるように設定されていたが、表示部２８に表示されるドライバ専用画面は、これに限るものではなく、受信データに含まれていたドライバ設定データに対応する優先項目のみ入力画像の表示が禁止された表示画面としてもよい。
【００８０】
上記実施形態の表示画面決定処理では、Ｓ１３０において印刷ジョブに関する設定データβ（図６参照）に「＠ＰＪＬ  ＳＥＴ  ＲＥＰＲＩＮＴ＝ＪＯＢ」「＠ＰＪＬ  ＥＣＯＮＯＭＯＤＥ＝ＯＦＦ」「＠ＰＪＬ  ＳＥＴ  ＭＥＤＩＡＴＹＰＥ＝ＲＥＧＵＬＡＲ」「＠ＰＪＬ  ＳＥＴ  ＲＥＳＯＬＵＴＩＯＮ＝３００」等の優先項目に関するドライバ設定データが含まれているか否かで、受信データがプリンタドライバを介してＰＣ１０から送信されたデータであるか否かを判定していたが、判定方法は、これに限るものではない。例えば、印刷ジョブに関する設定データβに「＠ＰＪＬ  ＰＲＩＮＴＬＯＧ  ＩＴＥＭ＝１，ＰＲＩＮＴＥＲ」「＠ＰＪＬ  ＰＲＩＮＴＬＯＧ  ＩＴＥＭ＝２，Ｔｕｅ，１９  Ｄｅｃ  ２００６  １６：５１：３８」「＠ＰＪＬ  ＰＲＩＮＴＬＯＧ  ＩＴＥＭ＝３，ｙａｍａｄａ」「＠ＰＪＬ  ＰＲＩＮＴＬＯＧ  ＩＴＥＭ＝４，ＰＣ１」等の印刷時の状況を記録したログ情報に関するドライバ設定データが含まれているか否かで判定してもよい。
【００８１】
上記実施形態の表示画面決定処理では、優先項目に関するドライバ設定データは印刷ジョブに関する設定データβに含まれているものとして説明したが、印刷データαに含まれていてもよい。
【００８２】
上記実施形態の表示画面決定処理では、Ｓ１３０における判定処理の結果、受信データがプリンタドライバを介してＰＣ１０から送信されたデータである場合、ドライバ設定データと直接設定データとが重複しないようにドライバ専用画面を表示するように設定したが、ドライバ設定データと直接設定データとが重複しないようにする状況は、これに限るものではない。例えば、プリンタドライバを介さずＰＣ１０から送信された受信データであったとしても、画像形成装置２０の操作部２７による入力によっても設定可能な印刷設定データが印刷データαに含まれている場合がある。この場合も、印刷データαに含まれた印刷設定データと直接設定データとが重複した場合、印刷データαに含まれた印刷設定データが優先される。したがって、プリンタドライバを介さずＰＣ１０から送信された受信データであったとしても、画像形成装置２０の操作部２７による入力によっても設定可能な印刷設定データが印刷データαに含まれている場合、この印刷設定データに対応する項目以外の項目を表示部２８に表示するようにしてもよい。
【００８３】
また、上記実施形態の表示画面決定処理では、ドライバ専用領域３４を読み出し先とすることで、ドライバ専用画面を表示していたが、表示部２８に表示される画面をドライバ専用画面とする方法は、これに限るものではない。例えば、初期設定領域から非優先項目に対応する表示データのみを読み出すことで、非優先項目に対する入力画像からなるドライバ専用画面を実現しても良い。
【００８４】
また、上記実施形態の画像形成装置では、第一実施形態の表示画面決定処理、第二実施形態の表示画面決定処理のいずれか一方のみを実行したが、これら両方を実行しても良い。
【００８５】
ところで、上記実施形態では、プリンタ言語項目１０１、印刷色項目１０２、用紙種類項目１０３、サイズ項目１０４、印刷部数項目１０５、再印刷項目１１１、解像度項目１１４、手差項目１２１を優先項目としたが、優先項目はこれに限るものではなく、これらの項目のうち少なくとも一つが優先項目とされていても良いし、その他の項目が含まれていても良い。つまり、ドライバ設定データと、直接設定データとが重複した場合、ドライバ設定データが優先される項目であれば、どのような項目であっても良い。
【００８６】
なお、印刷設定の項目は、上述したものに限らず、その他の項目があっても良い。
【図面の簡単な説明】
【００８７】
【図１】画像形成システムの概略構成を示すブロック図である。
【図２】表示部の概要を説明するための説明図である。
【図３】印刷設定の項目を示した説明図である。
【図４】ドライバ専用画面にて表示される印刷設定の項目を示した説明図である。
【図５】表示画面決定処理の処理手順を説明するためのフローチャートである。
【図６】印刷情報の概略を説明するための説明図である。
【図７】第二実施形態における表示画面決定処理の処理手順を説明するためのフローチャートである。
【図８】第二実施形態における表示画面決定処理にて表示される選択画像を示す説明図である。
【図９】第二実施形態における表示画面決定処理にて表示される変更受付画像を示す説明図である。
【図１０】ＥＥＰＲＯＭ２５ｃの格納領域を説明するための説明図である。
【図１１】ドライバ専用表示画面の変形例を示す説明図である。
【符号の説明】
【００８８】
１…画像形成システム  １０…ＰＣ（パーソナルコンピュータ）  １１…制御部  １２…操作受付部  １３…格納部  １４…通信部  ２０…画像形成装置  ２１…画像印刷部  ２２…画像読取部  ２３…情報入出力部  ２４…通信部  ２５…制御部  ２６…操作パネル  ２７…操作ボタン  ２７ａ…十字キー  ２７ｂ…テンキー  ２７ｃ…確定キー  ２８…表示部
【図１】
2008230147.tif 000003
【図２】
2008230147.tif 000004
【図３】
2008230147.tif 000005
【図４】
2008230147.tif 000006
【図５】
2008230147.tif 000007
【図６】
2008230147.tif 000008
【図７】
2008230147.tif 000009
【図８】
2008230147.tif 000010
【図９】
2008230147.tif 000011
【図１０】
2008230147.tif 000012
【図１１】
2008230147.tif 000013